(57)【特許請求の範囲】
【請求項１】
ベースと、
前記ベース上に設けられ、スイッチと発光素子を搭載した回路基板と、
前記回路基板を水密的に保護する光透過性の弾性カバーと、
前記ベースに固着され、前記弾性カバーを抑えて前記回路基板を水密的に保護するカバー抑止部材と、
非押圧時は前記弾性カバーの弾性力によって前記スイッチをオフにする位置にあり、押圧時は前記弾性カバーを圧縮して前記スイッチをオンし、前記発光素子からの光を外部に放射するレンズと、
前記レンズを収容するレンズ孔を有し、前記ベースあるいは前記カバー抑止部材に係合する係合部を有するケースとを備え、
前記弾性カバーが前記回路基板の水密構造を維持した状態で、前記ケースと前記ベースあるいは前記ケースと前記カバー抑止部材とを係合するとともに、前記ケースと前記レンズとを係合するように構成され、
前記ケースと前記ベースあるいは前記ケースと前記カバー抑止部材との係合を解いても、前記弾性カバーが前記回路基板の水密構造を維持した状態で前記ケースおよび前記レンズを取り外せるように構成されたことを特徴とする自動販売機用押釦スイッチ。
【発明の詳細な説明】
【０００１】
【発明の属する技術分野】
本発明は自動販売機用押釦スイッチに関し、特に、自動販売機のリニュアル時に回路基板の水密構造を維持しながらケース及びレンズだけを交換できるようにしてリニュアルコストを低減した自動販売機用押釦スイッチに関する。
【０００２】
【従来の技術】
図１１及び図１２は従来の自動販売機用押釦スイッチの部分断面構造を示し、図１１は上面断面図、図１２は図１１のＡ−Ａ線断面図である。この自動販売機用押釦スイッチは、押釦スイッチを複数有した連動スイッチと呼ばれるスイッチユニットであり、自動販売機の前面パネル（図示せず）の挿入孔（図示せず）に挿入部（図示せず）を通され、パッキンで自動販売機内に侵水が生じないようにして前面パネルの裏面からベース１にねじを通して固定されている。購入者が所定のコインを自動販売機に投入すると、回路素子６等と一緒に回路基板５上に搭載されたＬＥＤ７ａ（販売可）が点灯する。一方、販売商品が売り切れになると、回路基板５上に搭載されたＬＥＤ７ｂ（売切れ）が点灯する。ＬＥＤ７ａあるいは７ｂの光はリフレクトケース８の光通過孔８ｂを通り、リフレクト面８ａで反射されながらシリコンカバー９，ネームプレート１０，レンズ１１を通って外部へ放射される。ネームプレート１０はＬＥＤ７ａ，７ｂに対応する位置に光を透過する表示パターン（販売可及び売切れ）を有する。ＬＥＤ７ａが点灯して販売可のとき、購入者はレンズ１１を押すと、シリコンカバー９が圧縮されて変形し、スイッチ９ａが回路基板５のスイッチ（図示せず）をオンして販売商品が販売口へ搬出される。レンズ１１はケース１２の開口から露出し、ケース１２の係合部１２ａと係合部１１ａが係合することによって抜けないようにされており、ケース１２は超音波による溶着によりべース１に固定されている。また、回路基板５はシリコンカバー９によって外部の雨滴等から水密的に保護されている。コネクタ３は自動販売機内部の制御部（マイコンチップ）に接続されており、外周に挿通部４が設けられ、パッキン２で水密化されている。
【０００３】
【発明が解決しようとする課題】
しかし、従来の自動販売機用押釦スイッチによると、自動販売機をリニュアルするとき、レンズ及びケースが汚れていれば、新しい自動販売機用押釦スイッチに交換しているため、リニュアルコストが増大していた。
【０００４】
従って、本発明の目的は自動販売機のリニュアル時に回路基板の水密構造を維持しながらケース及びレンズだけを交換できるようにし、リニュアルコストを低減することができる自動販売機用押釦スイッチを提供することである。
【０００５】
【課題を解決するための手段】
本発明は、上記の目的を達成するため、ベースと、前記ベース上に設けられ、スイッチと発光素子を搭載した回路基板と、前記回路基板を水密的に保護する光透過性の弾性カバーと、前記ベースに固着され、前記弾性カバーを抑えて前記回路基板を水密的に保護するカバー抑止部材と、非押圧時は前記弾性カバーの弾性力によって前記スイッチをオフにする位置にあり、押圧時は前記弾性カバーを圧縮して前記スイッチをオンし、前記発光素子からの光を外部に放射するレンズと、前記レンズを収容するレンズ孔を有し、前記ベースあるいは前記カバー抑止部材に係合する係合部を有するケースとを備え、前記弾性カバーが前記回路基板の水密構造を維持した状態で、前記ケースと前記ベースあるいは前記ケースと前記カバー抑止部材とを係合するとともに、前記ケースと前記レンズとを係合するように構成され、前記ケースと前記ベースあるいは前記ケースと前記カバー抑止部材との係合を解いても、前記弾性カバーが前記回路基板の水密構造を維持した状態で前記ケースおよび前記レンズを取り外せるように構成されたことを特徴とする自動販売機用押釦スイッチを提供する。
本発明は、レンズ孔を有したケースをベースに組み合わせることによって両者の間に所定の空間を形成し、前記空間内にスイッチと発光素子を搭載した回路基板と、前記回路基板を水密的に保護する弾性カバーと、前記発光素子の光を導光する導光部材と、前記レンズ孔から露出し、非押圧時は前記弾性カバーの弾性力によって前記スイッチをオフにする位置にあり、押圧時は前記弾性カバーを圧縮して前記スイッチをオンにし、前記導光部材によって導光された光を外部に放射するレンズを備え、前記ケースは、前記ベースのベース係合部に係合することによって前記ベースと組み合わせられるケース係合部を有し、前記弾性カバーは、前記ケース及び前記レンズを外した状態においても水密構造によって前記回路基板を保護する自動販売機用押釦スイッチを提供するものである。
【０００６】
前記ベースの前記ベース係合部は、前記ベースに固着されて前記弾性カバーの端部を抑える弾性カバー抑止部材であることが好ましい。
【０００７】
前記ケースの前記ケース係合部は、前記ベース係合部として前記ベースの端部裏面に形成された肉薄部に係合する構成であることが好ましい。
【０００８】
前記ケースの前記ケース係合部は、前記ベース係合部としての前記ベースの端部裏面に係合する構成であることが好ましい。
【０００９】
前記ベースの前記ケース係合部は、前記ケースの主要部と係合された別体の係合部材によって構成され、前記別体の係合部材は、一端が前記ベースに固着され、他端が前記弾性カバーの端部を抑える構成であることが好ましい。
【００１０】
【発明の実施の形態】
以下、本発明の自動販売機用押釦スイッチを添付図面を参照しながら詳細に説明する。
【００１１】
図１の(a),(b)は本発明の第１の実施の形態に係る自動販売機用押釦スイッチを示し、(a)は正面図、(b)は側面図である。この自動販売機用押釦スイッチは、自動販売機の前面パネル（図示せず）にねじ止めされるベース（ケース１２によって視認できない）にケース１２が凹凸係合により取り付けられ、ケース１２の開口を貫通して内部から複数（図示では４つ）のレンズ１１が突出した構成を有している。ベースは前面パネルの挿通孔及び挿入孔（図示せず）に通される挿通部４及び挿入部１６を有し、挿通部４内にコネクタ３が設けられている。
【００１２】
図２及び図３は自動販売機用押釦スイッチの部分断面構造を示し、図２は上面断面図、図３は図２のＡ−Ａ線断面図である。これらの図において、図１１及び図１２と同一の部分には同一の引用数字、符号を付したので重複する説明は省略する。この自動販売機用押釦スイッチは、ベース１の長辺及び短辺の端部（全周）にシリコンカバー９の端部を抑えるカバー抑止部材１３が固着されており、ケース１２の上端および下端に形成された係合部１２ｂとカバー抑止部材１３の係合によりケース１２がベース１に取り付けられた構成を有している。図２において、端部の１個の押釦スイッチのみが図示されているが、紙面左側に複数の押釦スイッチが設けられており、これによって連動スイッチと呼ばれるスイッチユニットを構成している。
【００１３】
図４及び図５はケース１２を取り外した状態を示す。図４において、押釦スイッチを前面パネルから取り外した後、ケース１２の弾性力に抗して専用治具等によってケース１２の係合部１２ｂを拡げるか、或いは係合部１２ｂを破壊またはカットしてケース１２の係合部１２ｂとカバー抑止部材１３の係合を解くことによりケース１２をベース１から取り外せるように構成されている。図示のように、ケース１２が取り外されると、ケース１２の係合部１２ａとレンズ１１の係合部１１ａの係合がなくなるため、レンズ１１が抜けるようになる。図５において、端部の１個の押釦スイッチのみが図示されているが、紙面左側に複数の押釦スイッチが設けられており、これによって連動スイッチと呼ばれるスイッチユニットを構成している。
【００１４】
図５において、図１より図４と同一に部分は同一の引用数字，符号で示したので重複する説明は省略するが、カバー抑止部材１３がベース１の全長に伸びてシリコンカバー９の端部を抑えており、ケース１２が取り外された状態でも回路基板５を水密的に保護していることを示している。ベース１は前面パネルに挿入されてねじ止めされるねじ孔１６ａを有した挿入部１６を有している。
【００１５】
図６は自動販売機に装着された状態を示す。自動販売機の前面パネル１４の裏面からベース１に図示しないねじを通すことにより前面パネル１４にベース１が固定されている。この状態では、カバー抑止部材１３に係合したケース１２の係合部１２ｂが前面パネル１４とカバー抑止部材１３に所定の圧力で挟まれることによりケース１２の係合部１２ｂとカバー抑止部材１３の係合が解けないようになっている。従って、リニュアル時等以外はケース１２が取り外すことができず、いたずらを防ぐことができる。
【００１６】
以上の構成において、自動販売機をリニュアルする時、レンズ１１およびケース１２が汚れている時には、自動販売機の前面パネル１４からベース１に通されたねじを外し、ベース１を前面パネル１４から取り外す。次に、ケース１２の上端および下端を拡げて係合部１２ｂとカバー抑止部材１３の係合を解き、ケース１２を取り外す。続いて、レンズ１１を引っ張り、レンズ１１をシリコンカバー９から抜き取る。この後、新しいレンズ１１をシリコンカバー９上に押し込み、更に新しいケース１２の係合部１２ｂをカバー抑止部材１３に係合させて新しいケース１２をベース１に取り付ける。
【００１７】
このようにベース１を自動販売機の前面パネル１４から取り外した時、ケース１２がベース１から取り外せるように構成され、更に水密構造を提供するシリコンカバー９を抑止するカバー抑止部材１３をケース１２とは別に設けたため、自動販売機のリニュアル時に回路基板５の水密構造を維持しながらレンズおよびケースだけを交換できるようになる。従って、リニュアルコストを低減することができる。
【００１８】
以上の実施の形態では、ケース１２をベース１から外すときは、ベース１を自動販売機の前面パネル１４から取り外すとしたが、これに限定されることはなく、係合部１２ｂを、例えば、破壊またはカットすれば、前面パネル１４上でケース１２を外すことができる。
【００１９】
図７より図１０は本発明の他の実施の形態を示し、第１の実施の形態と共通する部分は共通の引用数字，符号で示したので重複する説明は省略する。
【００２０】
図７はケース１２の係合部１２ｂがベース１の端部裏面に形成された肉薄部に係合している。
【００２１】
図８はケース１２の係合部１２ｂがベース１の端部裏面に係合している。
【００２２】
図９はケース１２の係合部がケース１２の主要部と凹凸係合した別体の係合部材１２ｂによって構成され、この別体の係合部材１２ｂは一端がベース１に固着され、他端が弾性カバー９の端部を抑えている。
【００２３】
図１０はベース１にねじ１５が通される貫通孔１７が形成されていると共に、ケース１２の貫通孔１７に対応する部分にねじ１５が螺合するねじ孔１８が形成され、ケース１２の係合部１２ｂとカバー抑止部材１３の係合，及びねじ１５によるケース１２へのねじ止めによりケース１２をベース１に取り付けるようになっている。なお、ケース１２の係合部１２ｂとカバー抑止部材１３の係合をなくし、ねじ１５によるねじ止めだけでケース１２をベース１に取り付けても良い。
【００２４】
なお、本発明は、上記した構成に限定されるものではなく、自動販売機のリニュアル時にケース１２が脱着でき、且つ、ケース１２を外しても回路基板５の水密構造を維持できる構成であれば良い。
【００２５】
【発明の効果】
以上説明した通り、本発明の自動販売機用押釦スイッチによると、ケースのケース係合部とベースのベース係合部の係合によってケースとベースが組み合わせられ、水密構造を提供する弾性カバーを抑止する部材をケースとは別に設けたため、自動販売機のリニュアル時に回路基板の水密構造を維持しながらレンズおよびケースだけを交換できるようになり、リニュアルコストを低減することができる。
【図面の簡単な説明】
【図１】本発明の第１の実施の形態に係る自動販売機用押釦スイッチを示す説明図。
【図２】第１の実施の形態に係る部分断面構造を示す上面断面図。
【図３】図２のＡ−Ａ線断面図。
【図４】第１の実施の形態に係るケース取り外し後の状態を示す断面図。
【図５】第１の実施の形態に係るケース取り外し後の状態を示す断面図。
【図６】第１の実施の形態に係る前面パネルへの装着状態を示す断面図。
【図７】本発明の第２の実施の形態に係る自動販売機用押釦スイッチを示す断面図。
【図８】本発明の第３の実施の形態に係る自動販売機用押釦スイッチを示す断面図。
【図９】本発明の第５の実施の形態に係る自動販売機用押釦スイッチを示す断面図。
【図１０】本発明の第４の実施の形態に係る自動販売機用押釦スイッチを示す断面図。
【図１１】従来の自動販売機用押釦スイッチの部分断面構造を示す上面断面図。
【図１２】図１１のＡ−Ａ線断面図。
【符号の説明】
１  ベース
２  パッキン
３  コネクタ
４  挿通部
５  回路基板
６  回路素子
７ａ，７ｂ  ＬＥＤ
８  リフレクトケース
８ａ  リフレクト面
８ｂ  光通過孔
９  シリコンカバー
９ａ  スイッチ
１０  ネームプレート
１１  レンズ
１１ａ  係合部
１２  ケース
１２ａ  係合部
１２ｂ  係合部
１３  カバー抑止部材
１４  前面パネル
１５  ねじ
１６  挿入部
１６ａ  ねじ孔
１７  貫通孔
１８  ねじ孔
【図１】
0004006348.tif 000002
【図２】
0004006348.tif 000003
【図３】
0004006348.tif 000004
【図４】
0004006348.tif 000005
【図５】
0004006348.tif 000006
【図６】
0004006348.tif 000007
【図７】
0004006348.tif 000008
【図８】
0004006348.tif 000009
【図９】
0004006348.tif 000010
【図１０】
0004006348.tif 000011
【図１１】
0004006348.tif 000012
【図１２】
0004006348.tif 000013